(57)【要約】【課題】  プロジェクタの投射方向が斜めになる場合に対し、スクリーンに表示される画像の輝度ムラの発生を解消する。【解決手段】  プロジェクタ１は設置されると、先ずカメラ部３でスクリーンＳを撮像し、撮像した画像に基づきスクリーンＳの四隅を検出し、プロジェクタ１から各四隅までの離隔度合を算出する。次に、プロジェクタ１は離隔度合の最短となる箇所から最長となる箇所へ上昇する重み付け数値を規定し、規定した重み付け数値を画像の表示に係る座標系に対応させた修正輝度パターンを作成する。プロジェクタ１は作成した修正輝度パターンを利用して表示対象の画像を生成し、画像に係る変調光を投射してスクリーンＳに画像を表示する。【選択図】        図１
2006087037.tif 000002
【特許請求の範囲】
【請求項１】
空間光変調素子により生成した画像に係る変調光を被投射体へ投射して被投射体に画像を表示するプロジェクタにおいて、
撮像を行う撮像手段と、
該撮像手段が被投射体を撮像した場合、被投射体画像に基づき被投射体の複数箇所までの離隔度合を算出する算出手段と、
該算出手段が算出した各箇所の離隔度合に応じて前記空間光変調素子で生成する画像の輝度を調整する輝度調整手段と
を備えることを特徴とするプロジェクタ。
【請求項２】
前記算出手段が算出した離隔度合が最短になる箇所から離隔度合が最長になる箇所へ上昇する重み付け数値を規定する手段を備え、
前記輝度調整手段は、被投射体への表示に対して被投射体の各箇所に対応する画像の部分を前記重み付け数値に基づき輝度を調整するようにしてある請求項１に記載のプロジェクタ。
【請求項３】
前記輝度調整手段は、前記算出手段が算出した離隔度合が最短になる箇所に対応する画像部分の輝度を下げる請求項１又は請求項２に記載のプロジェクタ。
【請求項４】
前記輝度調整手段は、前記算出手段が算出した離隔度合が最長になる箇所に対応する画像部分の輝度を上げる請求項１乃至請求項３のいずれか１つに記載のプロジェクタ。
【請求項５】
前記算出手段は、矩形状の被投射体の四隅に対して離隔度合を算出するようにしてある請求項１乃至請求項４のいずれか１つに記載のプロジェクタ。
【請求項６】
前記輝度調整手段が輝度を調整して生成したテストパターン画像に係る変調光を投射する手段と、
被投射体に表示されたテストパターン画像を前記撮像手段で撮像した結果に基づき焦点調整、色補正、寸法調整、又は台形歪み補正の少なくともいずれか１つを行う手段と
を備える請求項１乃至請求項５のいずれか１つに記載のプロジェクタ。
【発明の詳細な説明】
【技術分野】
【０００１】
本発明は、投射方向に応じてスクリーン等に表示する画像の輝度を部分毎に調整して全体として輝度ムラの無い画像を表示できるようにしたプロジェクタに関する。
【背景技術】
【０００２】
従来、スクリーン、白壁、及びホワイトボード等の被投射体へ画像に係る変調光を投射し、スクリーン等に画像を表示するプロジェクタがある。プロジェクタは一般にスクリーン等に対向して設置されるが、設置状況としては、部屋の天井又は棚等に据付固定される場合と、使用毎にプロジェクタを運び込み所要の場所に設置される場合とがある。後者の場合は、プロジェクタを設置した場所から最適な画像表示を行えるように、画像を表示する前の投射準備として被投射体への焦点調整、色補正、画像寸法調整（ズーム調整）、及び台形歪み補正（キーストン補正）等を毎回行う必要がある。
【０００３】
なお、投射準備に係る焦点調整、画像寸法調整、及び台形歪み補正の処理を自動的に行うため、投射により被投射体に表示したテストパターン画像を撮像し、撮像した結果に基づき各種調整及び補正を行うようにしたプロジェクタが下記の特許文献１に開示されている。
【特許文献１】特開２０００−２４１８７４号公報
【発明の開示】
【発明が解決しようとする課題】
【０００４】
プロジェクタが設置される建物内の状況によっては、スクリーンに対して斜めにプロジェクタを設置せざるを得ないこともある。このようなときはスクリーンに対する投射方向も斜めになり、プロジェクタからスクリーンまでの距離がスクリーンの各箇所それぞれで相異する度合が大きくなる。スクリーンに表示される画像の輝度は、プロジェクタの光源に対する離隔度合に影響を受け、一般にスクリーンとプロジェクタとの距離が遠いほど低下するので、投射方向が斜めの場合は、スクリーンに表示される画像に輝度ムラが表れやすいと云う問題がある。この問題は、特に投射方向が斜めになるほど、プロジェクタからスクリーンまでの近い箇所と遠い箇所との離隔度合の差が開くことから顕著になる。
【０００５】
また、上述した特許文献１に係るプロジェクタをスクリーンに対して斜めに設置した場合も、スクリーンに表示されるテストパターン画像に輝度ムラが生じる。その結果、輝度ムラのあるテストパターン画像の撮像結果に基づいて焦点調整、画像寸法調整、及び台形歪み補正を行うため、輝度ムラによる影響でテストパターン画像の形状等を精度良く検出することが妨げられ、投射準備に係る各種調整及び補正を正確に行うことが困難になると云う問題がある。
【０００６】
本発明は、斯かる問題に鑑みてなされたものであり、プロジェクタの設置状況に関わらずスクリーン等の被投射体に表示される画像の輝度ムラを解消するプロジェクタを提供することを目的とする。
また、本発明は、プロジェクタの投射方向が斜めになるように設置された場合でも、投射準備に係る各種調整及び補正を精度良く行えるようにしたプロジェクタを提供することを目的とする。
【課題を解決するための手段】
【０００７】
上記課題を解決するために本発明に係るプロジェクタは、空間光変調素子により生成した画像に係る変調光を被投射体へ投射して被投射体に画像を表示するプロジェクタにおいて、撮像を行う撮像手段と、該撮像手段が被投射体を撮像した場合、被投射体画像に基づき被投射体の複数箇所までの離隔度合を算出する算出手段と、該算出手段が算出した各箇所の離隔度合に応じて前記空間光変調素子で生成する画像の輝度を調整する輝度調整手段とを備えることを特徴とする。
【０００８】
本発明では、撮像された被投射体画像に基づき被投射体の複数箇所までの離隔度合を算出し、算出した離隔度合に応じて投射対象の画像の輝度を調整することで、プロジェクタが設置された投射方向に対して適切となるように輝度を調整でき、調整した輝度で画像を被投射体に表示して画像の輝度ムラを抑制できる。なお空間光変調素子としては、液晶パネル及びＤＭＤ(Digital Micromirror Device：登録商標。以下同様)等を適用することが可能である。
【０００９】
本発明に係るプロジェクタは、前記算出手段が算出した離隔度合が最短になる箇所から離隔度合が最長になる箇所へ上昇する重み付け数値を規定する手段を備え、前記輝度調整手段は、被投射体への表示に対して被投射体の各箇所に対応する画像の部分を前記重み付け数値に基づき輝度を調整するようにしてあることを特徴とする。
【００１０】
本発明では、離隔度合が最短になる箇所から離隔度合が最長になる箇所へ上昇する重み付け数値を規定し、その重み付け数値に基づき画像の各部分の輝度を調整するので、一段と詳細に画像の輝度を設置状況に応じて調整できるようになり、全体的に画像の輝度ムラを解消できる。なお、重み付け数値は離隔度合が最短になる箇所から最長になる箇所へ徐々に上昇するように規定する場合は、グラデーション的に滑らかに画像の輝度を調整できる。また、最短になる箇所から最長になる箇所へ複数の区域に分けて区域毎に重み付け数値を規定した場合は段階的に画像の輝度を調整できるようになり、輝度調整に係る処理負担を低減できる。
【００１１】
本発明に係るプロジェクタは、前記輝度調整手段は、前記算出手段が算出した離隔度合が最短になる箇所に対応する画像部分の輝度を下げることを特徴とする。
本発明では、離隔度合が最短になる箇所に対応する画像部分の輝度を下げることにより、離隔度合が短くなる影響で画像が明るくなり過ぎる部分を是正する方向で効率的に輝度を調整できるようになる。また、プロジェクタが有するＡＧＣ（Automatic Gain Control：自動利得調整）機能は、画像の明るい箇所を基準に画像の表示状態を調整するため、画像の暗い箇所の表示が不鮮明になることがあるが、本発明のように離隔度合が最短の箇所に対応する画像が明るい部分の輝度を下げることで、明るい箇所に対する基準レベルが下がり、ＡＧＣによる調整で画像の暗い箇所を鮮明に表示しやすくなる。
【００１２】
本発明に係るプロジェクタは、前記輝度調整手段は、前記算出手段が算出した離隔度合が最長になる箇所に対応する画像部分の輝度を上げることを特徴とする。
本発明では、離隔度合が最長になる箇所に対応する画像部分の輝度を上げることにより、離隔度合が長くなる影響で画像が暗くなり過ぎる部分を是正する方向で効率的に輝度を調整できるようになる。また、オリジナル画像自体が全体的に暗い場合も、本発明のように輝度を上げる方向で輝度修正を行うことにより、被投射体で表示される画像の見やすさを向上できるようになる。
【００１３】
本発明に係るプロジェクタは、前記算出手段は、矩形状の被投射体の四隅に対して離隔度合を算出するようにしてあることを特徴とする。
本発明では、位置の検出を最も行いやすい形状的にエッジとなる被投射体の四隅に対して離隔度合を算出するので、離隔度合の算出精度が向上し、それに伴い画像の輝度調整も高精度で行える。
【００１４】
本発明に係るプロジェクタは、前記輝度調整手段が輝度を調整して生成したテストパターン画像に係る変調光を投射する手段と、被投射体に表示されたテストパターン画像を前記撮像手段で撮像した結果に基づき焦点調整、色補正、寸法調整、又は台形歪み補正の少なくともいずれか１つを行う手段とを備えることを特徴とする。
本発明では、輝度調整を行って生成したテストパターン画像を被投射体に表示するので、表示されるテストパターン画像の輝度ムラは大きく低減される。そのため輝度ムラの少ないテストパターン画像に基づき投射準備に係る処理を行うので、プロジェクタの投射方向が斜めになるように設置された場合でも、投射方向の影響を受けずに高精度で投射準備処理を自動的に行える。
【発明の効果】
【００１５】
本発明にあっては、被投射体を撮像した画像に基づき被投射体の複数箇所までの離隔度合を算出して、算出した離隔度合に応じて投射対象の画像の輝度を調整することで、投射方向に関わらず輝度ムラが生じないように画像の輝度を調整できる。
また、本発明にあっては、離隔度合が最短になる箇所から離隔度合が最長になる箇所へ上昇する重み付け数値を規定し、その重み付け数値に基づき画像の各部分の輝度を調整するので、一段と詳細な輝度調整が可能となり画像全体に対して輝度ムラを解消できる。
【００１６】
さらに、本発明にあっては、離隔度合が最短になる箇所に対応する画像部分の輝度を下げて、離隔度合が短くなる影響で画像が明るくなり過ぎる部分を是正する方向で輝度を調整でき、投射表示される画像の輝度ムラを抑制して画像の鮮明化を図れる。
さらにまた、本発明にあっては、離隔度合が最長になる箇所に対応する画像部分の輝度を上げて、離隔度合が長くなる影響で画像が暗くなり過ぎる部分を是正する方向で輝度を調整でき、鮮明な画像の表示に貢献できる。
【００１７】
また、本発明にあっては、検出しやすい被投射体の四隅に対して離隔度合を算出するので、離隔度合の算出精度が向上でき、精度の高い離隔度合に応じて表示される画像の輝度ムラを確実に抑制できる。
さらに、本発明にあっては、輝度調整により輝度ムラを抑えたテストパターン画像を表示して投射準備に係る処理を行うので、プロジェクタの投射方向に関係なく投射準備処理を高精度で行える。
【発明を実施するための最良の形態】
【００１８】
図１は、本発明の実施形態に係るプロジェクタ１の内部構成を示すブロック図である。本実施形態のプロジェクタ１は、設置された場所から被投射体であるスクリーンＳに対する投射方向を判断して表示する画像の輝度ムラを抑制する処理を行うと共に、投射準備の各処理を自動的に行うオート調整機能を具備したものである。具体的には、プロジェクタ１は設置された後、最初にスクリーンＳを撮像し、撮像した結果に基づきスクリーンＳの四隅に対する離隔度合を算出して輝度ムラを修正する修正輝度パターンを作成し、この修正輝度パターンに基づき輝度調整したテストパターン画像を生成して投射準備処理を行い、投射準備の完了後に輝度調整した所望の画像を生成して投射を行う。
【００１９】
プロジェクタ１の内部は、投射対象の画像に対する処理を主に行う対象処理部分と、投射に係る処理を行う投射処理部分と、輝度調整及び投射準備のオート調整に係る処理を主に行う調整処理部分とに大別される。対象処理部分には外部接続部４及び画像変換部５が含まれ、投射処理部分には色制御部６、テストパターン画像切替部７、投射デバイス部８、投射レンズ駆動部９、及び投射レンズ２が含まれ、調整処理部分にはカメラ部３及び検出部１１が含まれる。また、プロジェクタ１は、ユーザからの操作を受け付ける部分として操作部１２及びリモートコントローラ（以下、リモコンと称す）２０のリモコン受光部１３を備え、装置の全体的な制御を行う部分としてシステムコントロール部１０を有している。以下、プロジェクタ１の各部を詳説する。
【００２０】
外部接続部４は、投射対象の画像を出力する外部機器との接続を行い、外部機器から出力されてきた画像を画像変換部５へ伝送する。画像変換部５は、システムコントロール部１０の制御に基づきＡ／Ｄ変換のような所要の変換処理を行うものであり、変換処理を施した画像を投射デバイス部８へ伝送する。
【００２１】
色制御部６は、投射される画像光の色を調整する処理を行うものであり、システムコントロール部１０の制御に基づきＲ（赤）、Ｇ（緑）、Ｂ（青）の各色のバランスを調整して色補正を行う。また、テストパターン画像切替部７はオート調整機能における色補正用の複数のテストパターン画像をシステムコントロール部１０の制御に基づき生成し、生成したテストパターン画像を投射デバイス部８へ伝送する処理を行う。なお、投射されるテストパターン画像としては、所定色が全画面的に表示される色補正用画像以外に、図５に示すズーム調整用及び台形補正用のテストパターン画像３０等がある。
【００２２】
投射デバイス部８は、投射対象の画像（画像信号）を光変調する空間光変調素子を備え、画像変換部５、テストパターン画像切替部７、及び後述するシステムコントロール部１０から伝送されてくる各種画像（画像信号）に基づき、図示しない光源の空間光を空間光変調素子で変調して画像を生成し、その画像に係る変調光を投射レンズ２を通じて外部へ照射させている。
【００２３】
投射デバイス部８の空間光変調素子としては液晶パネル及びＤＭＤ等を適用でき、液晶パネルを適用した場合は、伝送されてきた各種画像（画像信号）を液晶パネルに表示して生成し、表示（生成）された画像に係る変調光を照射する。また、ＤＭＤを適用した場合は、伝送されてきた各種画像（画像信号）をＤＭＤが有する複数のミラーの傾きを適宜制御することで生成し、生成した画像に係る反射光（変調光）を照射する。液晶パネルを用いた場合での生成した画像の輝度調整は、システムコントロール部１０の制御により画像が画素毎に有するオリジナルの輝度値を修正することで液晶パネルに表示される輝度が調整され、ＤＭＤの場合もシステムコントロール部１０の制御により各ミラーで生成される画像の輝度が調整される。以下の本実施形態では、空間光変調素子に液晶パネルを適用した場合で説明するが、ＤＭＤを適用した場合でも処理的には同様になる。
【００２４】
図４に示すように本実施形態の投射デバイス部８の液晶パネル８ａは、水平方向に１０２４画素、垂直方向に７６８画素の矩形状の表示範囲（画像生成範囲）を備え、液晶パネル８ａの表示範囲は画素数に応じたプロジェクタ座標系として規定されている。よって、投射対象の画像信号が有する水平及び垂直方向の各画素に対応したプロジェクタ座標系の座標値を投射デバイス部８が受け付けると、この座標値に基づき投射デバイス部８は液晶パネル８ａに表示する画像の位置及び寸法を特定して画像を表示する。なお、図４の液晶パネル８ａ中に示すスクリーンＳの輪郭形状は、プレジェクタ座標系でのスクリーンＳの位置を示すために仮想的に図示したものであり、液晶パネル８ａで表示されるものではない。
【００２５】
また、図１に示す投射レンズ駆動部９は、投射レンズ２を移動させるモータを有しており、システムコントロール部１０の制御に従いモータを駆動することで投射レンズ２の位置を調整し、スクリーンＳへの投射に係る焦点調整及び画像寸法調整（ズーム調整）を行う。なお、本実施形態の投射レンズ２は、投射レンズ２のレンズ中心を通る光軸Ｋ（図２（ａ）（ｂ）参照）に対してスクリーンＳに表示される画像がオフセットされるように投射を行う。
【００２６】
図１に示すカメラ部３は、撮像を行う撮像手段としてＣＣＤ３ａを内蔵しており、ＣＣＤ３ａはシステムコントロール部１０の制御に基づき、輝度調整及び投射準備のオート調整処理のためにスクリーンＳ及び照射により表示された各種テストパターン画像の撮像を行い、撮像画像を検出部１１へ伝送する処理を行う。ＣＣＤ３ａは図３に示すように、水平方向に３２０個、垂直方向に２５６個の受光素子を並べて形成されており、この受光素子数に応じたカメラ座標系がＣＣＤ３ａに対して規定されている。なお、ＣＣＤ３ａに係るカメラ座標系及び上述した液晶パネル８ａのプロジェクタ座標系での各座標値は、システムコントロール部１０で所要の変換式に基づき対応付けが行われる。例えば、図３に示すＣＣＤ３ａで撮像されたカメラ座標系のスクリーンＳは、プロジェクタ座標系では図４の液晶パネル８ａの表示範囲内で示す位置に対応付けられる。
【００２７】
検出部１１は、カメラ部３から送られてくる撮像画像中の撮像物の検出を行うものであり、ＣＣＤ３ａで撮像されたスクリーンＳの四隅の検出、図５のテストパターン画像３０の四隅３０ａ〜３０ｄの位置関係及び太枠部３０ｅの形状等の検出、並びに色補正用テストパターン画像の色検出等を行う。検出部１１は、検出した結果をシステムコントロール部１０へ伝送する。
【００２８】
また、プロジェクタ１に設けられた操作部１２は複数のボタン及びスイッチ等を有し、これらボタン及びスイッチ等でユーザの操作指示を受け付けて、システムコントロール部１０へ伝送する。さらに、リモコン受光部１３はリモコン２０からの操作信号を受け付けてシステムコントロール部１０へ伝送する。リモコン２０には、複数のボタンに加えて上下左右の選択キー及び決定キーが設けてあり、プロジェクタ１から投射されるＯＳＤ（On Screen Display）のメニュー画像で表示される複数の項目の中から所要の項目を選択キー及び決定の操作でユーザが選択できるようにしている。
【００２９】
上述した各部５、６等に対する制御、装置の全体的な制御、及び各種処理（ＡＧＣ等）を行うシステムコントロール部１０はＲＯＭ１０ａ及びＲＡＭ１０ｂを有する。ＲＯＭ１０ａにはシステムコントロール部１０が行う制御及び処理内容を規定したプログラム、各種テストパターン画像、及び各種メニュー画像（画像信号）が予め記憶されており、ＲＡＭ１０ｂには処理に係るデータ等が一時的に記憶される。
【００３０】
本実施形態のシステムコントロール部１０は、ＲＯＭ１０に記憶されたプログラムに基づき各種制御処理を行い、電源ボタン（図示せず）がＯＮされると、先ずカメラ部３のＣＣＤ３ａで撮像を行うように制御する。よって、プロジェクタ１がスクリーンＳに対して設置された状況で電源ボタンがＯＮされると、ＣＣＤ３ａで自動的にスクリーンＳが撮像されることになる。また、ＣＣＤ３ａでの撮像画像におけるスクリーンＳの形状は、プロジェクタ１の設置状況に応じて変化する。
【００３１】
図３に示すＣＣＤ３ａで撮像されたスクリーンＳの形状は、プロジェクタ１が図２（ａ）（ｂ）に示す状況で設置された場合のものを示す。即ち、プロジェクタ１が、図２（ａ）に示すように、スクリーンＳの投射面Ｓａの左側で、投射に係る光軸ＫがスクリーンＳの投射面Ｓａの中心Ｃを通り、且つ図２（ｂ）に示すように光軸ＫはスクリーンＳの下端部分Ｓｂに向かうように設置された場合（スクリーンＳに対して左下に設置された場合）では、矩形のスクリーンＳの撮像画像は、図３に示すように歪んだ形状になる。詳しくは、プロジェクタ１から最も離れた隅となるスクリーンＳの右上の第２角点Ｓ２を中心にして、第１角点Ｓ１と第２角点Ｓ２とを結ぶ上辺Ｓ５、及び第２角点Ｓ２と第３角点を結ぶ右辺Ｓ６が他の辺Ｓ７、Ｓ８に比べて傾斜した四辺形になる。
【００３２】
なお、プロジェクタ１が図２（ａ）（ｂ）に示す状況と相異して設置された場合は、ＣＣＤ３ａで撮像されたスクリーンＳの画像形状も図３に示す形状と相異する。例えば、プロジェクタ１がスクリーンＳに対して右下に設置された状況では、スクリーンＳの撮像画像は図３の四辺形が左右反転した形状になり、左上に設置された状況では図３の四辺形が上下に反転した形状になり、右上に設置された状況では図３の四辺形が上下左右に反転した形状になる。また、プロジェクタ１がスクリーンＳの中央下に設置された状況では、スクリーンＳの撮像画像は上辺が短くなった等辺台形になり、スクリーンＳの中央上に設置された状況では、下辺が短くなった等辺台形になる。
【００３３】
電源ボタンのＯＮによる撮像後、システムコントロール部１０はＣＣＤ３ａで撮像された画像に対してスクリーンＳの四隅の第１角点Ｓ１〜第４角点Ｓ４の位置を検出部１１で検出させる。それから、システムコントロール部１１は、検出部１１の検出結果に基づきプロジェクタ１から各角点Ｓ１〜Ｓ４までの離隔度合を夫々算出する。図２（ａ）（ｂ）に示す設置状況では、図３に示す各角点Ｓ１〜Ｓ４の位置より、システムコントロール部１０は、傾斜した上辺Ｓ５及び右辺Ｓ６の交点となる第２角点Ｓ２の離隔度合が最長と算出し、傾斜のない下辺Ｓ７及び左辺Ｓ８の交点となる第４角点Ｓ４の離隔度合が最短と算出し、第１角点Ｓ１及び第３角点Ｓ３に対する離隔度合は同等で最長と最短との間であると算出する。
【００３４】
さらに、システムコントロール部１０は図３に示すように、算出された離隔度合が最短となる第４角点Ｓ４から離隔度合が最長となる第２角点Ｓ２までスクリーンＳの領域を複数の区域Ａ１〜Ａ１５に分割する処理を行う。各区域Ａ１〜Ａ１５を分ける境界線は算出した各離間度合と撮像されたスクリーンＳの歪み形状に応じて決定されており、本実施形態では離間度合が同等となる第１角点Ｓ１と第３角点Ｓ３とを結ぶ線分に平行な右下がりの境界線でスクリーンＳの領域を計１５個の区域Ａ１〜Ａ１５に分割している。
【００３５】
そして、システムコントロール部１０は、分割した各区域Ａ１〜Ａ１５に対して投射デバイス部８の液晶パネル８ａで表示する投射用画像の輝度を調整するための重み付け数値の規定を行う。本実施形態では、輝度を調整しない状態でプロジェクタ１の設置状況の影響を考慮すると、離隔度合が最短となる第４角点Ｓ４に係る第１区域Ａ１の輝度が最も明るく、最遠となる第２角点Ｓ２に係る第１５区域Ａ１５の輝度が最も暗くなると考えられるため、第１区域Ａ１から第１５区域Ａ１５へ輝度を上昇させるようにプロジェクタ１の設置状況の影響を是正する方向で調整を行う重み付け数値を規定する。
【００３６】
例えば、システムコントロール部１０は、第１５区域Ａ１５には輝度修正に係る重み付け数値として「０」を規定し、以下、第１４区域Ａ１４には「−２」、第１３区域Ａ１３には「−４」、第１２区域Ａ１２には「−６」、第１１区域Ａ１１には「−８」、第１０区域Ａ１０には「−１０」、第９区域Ａ９には「−１２」、第８区域Ａ８には「−１４」、第７区域Ａ７には「−１６」、第６区域Ａ６には「−１８」、第５区域Ａ５には「−２０」、第４区域Ａ４には「−２２」、第３区域Ａ３には「−２４」、第２区域Ａ２には「−２６」、第１区域Ａ１には「−２８」と夫々重み付け数値を規定する。
【００３７】
さらに、システムコントロール部１０は、各区域Ａ１〜Ａ１５に対応する図４に示す液晶パネル８ａに係るプロジェクタ座標系での座標範囲を夫々算出し、算出した座標範囲毎に上述した重み付け数値を割り当てた修正輝度パターンを作成し、この修正輝度パターンをＲＡＭ１０ｂに記憶する処理を行う。このように修正輝度パターンを作成してから、次に投射準備に係る各処理を行うようにシステムコントロール部１０はプログラミングされている。
【００３８】
投射準備の処理では、システムコントロール部１０は、先ず色補正を行うために、テストパターン画像切替部７で生成した色補正用のテストパターン画像を投射デバイス部８の液晶パネル８ａで表示するが、この際、オリジナルのテストパターン画像が有する輝度の数値に上述した修正輝度パターンで規定された重み付け数値を加えて輝度修正を行う。
【００３９】
本実施形態では、テストパターン画像の第１５区域Ａ１５に対応する画像部分の輝度の数値は変更されないが、第１４区域Ａ１４に対応する画像部分の輝度数値は「２」減じられ、第１３区域Ａ１３に対応する画像部分の輝度数値は「４」減じられ、以下、同様に輝度数値の減算が行われ第１区域Ａ１に対応する輝度数値は「２８」減じられる。よって、オリジナル画像の第１区域Ａ１に対応する画像部分が「１５０」と云う輝度値を有する場合、輝度修正により、その画像部分の輝度値は「１２２」と云う数値に変更される。なお、上述した第１５区域Ａ１５以外の各区域Ａ１〜Ａ１４に対応する部分の重み付け数値が負の値の修正輝度パターンを用いると、画像の大部分の輝度が下げられるので、画像が有する輝度の明るい部分を基準としたシステムコントロール部１０が行うＡＧＣ機能に対する影響が低減され、画像の暗い部分も鮮明に表示しやすくなる。
【００４０】
このように輝度の調整が行われたテストパターン画像は液晶パネル８ａで画像Ｇとして表示され（図４参照）、この表示生成された画像Ｇに係る変調光が光源により投射レンズ２を通じてスクリーンＳへ投射される。その結果、スクリーンＳに対して斜めにプロジェクタ１が設置された場合でも、スクリーンＳには輝度ムラが低減又は解消された画像を表示できるようになる。
【００４１】
さらにまた、システムコントロール部１０は、スクリーンＳに画像（テストパターン画像）を表示すると、カメラ部３で撮像を行い、撮像した画像を検出部１１で検出し、検出結果に基づきスクリーンＳに表示される画像の色が本来の色となるように色制御部６に色味及び色調等を調整する指示を出す。色調整が終了するとシステムコントロール部１０は、焦点調整用のテストパターン画像に対し上記と同様に輝度修正を行ってから投射処理を行い、カメラ部３で撮像を行い、スクリーンＳに対して合焦するように投射レンズ駆動部９の制御を行う。
【００４２】
さらに、システムコントロール部１０は、図５に示すズーム調整用及び台形補正用のテストパターン画像３０に対しても同様に輝度修正を行ってから投射処理を行い、テストパターン画像３０を表示してカメラ部３で撮像する。なお、図２（ａ）（ｂ）に示すプロジェクタ１の設置状態でズーム調整及び台形補正が行われる前は、図７（ａ）に示すようにテストパターン画像３０はスクリーンＳをはみ出して太枠部３０ｅがスクリーンＳの周囲に表示されると共に四隅の各角部３０ａ〜３０ｄも矩形状の配置にならない場合があるが、ズーム調整及び台形補正処理としてシステムコントロール部１０が投射デバイス部８の液晶パネル８ａに対するプロジェクタ座標系の座標値を適宜変換することで、図７（ｂ）に示すようにスクリーンＳの各角点Ｓ１〜Ｓ４の内方にテストパターン画像３０の角部３０ａ〜３０ｄが収まるように表示される。
【００４３】
図７（ｂ）に示す表示形態を得ることで、プロジェクタ１の投射準備に係る処理が完了する。上述した投射準備においては、表示される各種テストパターン画像の輝度ムラが抑制されることから、カメラ部３で撮像される各種テストパターン画像も鮮明となり、検出部１１でもテストパターン画像の色合い、四隅、及び形状等の検出を精度良く行うことができ、投射準備の処理精度を従来に比べて向上できる。
【００４４】
投射準備の完了後は、システムコントロール部１０は、本来ユーザがスクリーンＳに表示したい画像の投射処理に移行するように制御を行う。具体的には、外部接続部４を通じて外部から受け付けた画像を画像変換部５で所要の処理を施し、投射デバイス部８の液晶パネル８ａに表示させるが、この際も、ＲＡＭ１０ｂに記憶されている修正輝度パターンに従ってオリジナルの画像が有する輝度値を修正して液晶パネル８ａで画像を表示生成する制御を行う。そのため、スクリーンＳに表示される画像からプロジェクタ１の斜め設置による影響は排除され、輝度ムラのない自然な画像をスクリーンＳに表示できる。
【００４５】
上述したシステムコントロール部１０の制御に基づくプロジェクタ１での画像を表示するまでの一連の処理を整理すると図６に示すフローチャートのような流れになる。
先ず、プロジェクタ１は設置されて電源ボタンがオンされると、スクリーンＳ（被投射体）の撮像を行い（Ｓ１）、撮像したスクリーンＳの画像よりスクリーンＳの四隅を検出し（Ｓ２）、プロジェクタから四隅までの離隔度合を算出し（Ｓ３）、算出した離隔度合に基づき重み付け数値を規定してプロジェクタ座標系に係る修正輝度パターンを決定する（Ｓ４）。なお、決定した修正輝度パターンはシステムコントロール部１０のＲＡＭ１０ｂに保存される。ここまでの処理は画像投射前の輝度調整の段階である。
【００４６】
次に、投射準備に係る各種調整及び補正処理として、プロジェクタ１はテストパターン画像を修正輝度パターンに基づき輝度を調整して生成し（Ｓ５）、生成したテストパターン画像に係る変調光を投射してテストパターン画像をスクリーンＳに表示する（Ｓ６）。表示したテストパターン画像を撮像し（Ｓ７）、撮像した結果に基づき調整及び補正を行う（Ｓ８）。これで投射準備に係る処理の段階が完了する。なお、上述したＳ５からＳ８の各処理は投射準備に係る項目（色補正、合焦調整等）毎に繰り返し行われる。
【００４７】
最後に、投射画像の表示を行う処理段階として、投射対象の画像を修正輝度パターンに基づき輝度を調整して生成し（Ｓ９）、生成した画像に係る変調光を投射して画像をスクリーンＳに表示する（Ｓ１０）。
【００４８】
なお、本実施形態のプロジェクタ１は、上述した形態に限定されるものではなく、種々の変形例の適用が可能である。例えば、輝度調整に係るスクリーンＳの撮像は電源ボタンのＯＮに連動して行う以外に、ユーザの操作に基づき撮像を行うことも可能であり、また、投射準備に係る処理の開始に連動させてスクリーンＳを撮像して輝度調整処理を行うようにしてもよい。また、投射準備を行う項目としては色補正、合焦調整、ズーム調整用、及び台形補正用の全てを行わずに、プロジェクタ１の仕様又はグレード等に応じて少なくともいずれか一つの項目を行うようにしてもよい。
【００４９】
さらに、各区域Ａ１〜Ａ１５に割り当てる重み付け数値は、上述したように離隔度合が最短となる第１角点Ｓ１に係る第１区域Ａ１の輝度値を下げるように重み付け数値を規定する以外には、別の重み付け数値の規定の仕方を適用してもよく、プロジェクタ１が設置される建物内の室の明るさの状況、表示しようとする画像の明るさの度合等に応じて適宜変更できる。
【００５０】
例えば、撮像されたスクリーンＳの画像の最大輝度値が、投射デバイス部８で表現できる最大の輝度数値を超えている場合は、スクリーンＳの最大輝度値が投射デバイス部８で対応できる輝度値になるように撮像画像に対応する重み付け数値を決定することが、輝度に破綻が生じない画像を表示させる観点から重要である。この場合は、最大輝度値が投射デバイス部８で表現できる輝度値になるよう下げてから、各区域Ａ１〜Ａ１５に対して離隔度合に応じた重み付け数値を割り当てることが好適である。
【００５１】
また、表示しようとする画像が暗く、輝度を全体的に上昇させる方向で輝度ムラを無くすように調整を行う場合は、図３に示す各区域Ａ１〜Ａ１５に対し、第１区域Ａ１には輝度修正に係る重み付け数値として「０」を規定し、以下、第２区域Ａ２には「２」、第３区域Ａ３には「４」、第４区域Ａ４には「６」、第５区域Ａ５には「８」、第６区域Ａ６には「１０」、第７区域Ａ７には「１２」、第８区域Ａ８には「１４」、第９区域Ａ９には「１６」、第１０区域Ａ１０には「１８」、第１１区域Ａ１１には「２０」、第１２区域Ａ１２には「２２」、第１３区域Ａ１３には「２４」、第１４区域Ａ１４には「２６」、第１５区域Ａ１５には「２８」と云うように重み付け数値を規定してもよい。
【００５２】
さらにまた、離隔度合の最短の箇所に対応する画像部分の輝度を下げて、且つ最長の箇所に対応する画像部分の輝度を上げるように重み付け数値を規定することも可能である。この場合は、第１区域Ａ１に「−１４」、第２区域Ａ２に「−１２」、第３区域Ａ３に「−１０」、第４区域Ａ４に「−８」、第５区域Ａ５に「−６」、第６区域Ａ６に「−４」、第７区域Ａ７に「−２」、第８区域Ａ８に「０」、第９区域Ａ９に「２」、第１０区域Ａ１０に「４」、第１１区域Ａ１１に「６」、第１２区域Ａ１２に「８」、第１３区域Ａ１３に「１０」、第１４区域Ａ１４に「１２」、第１５区域Ａ１５に「１４」と云うように重み付け数値を規定してもよい。このような重み付け数値の割当により画像の輝度が全体的に適切になるようにした上で、輝度ムラが解消される。なお、隣接する区域間の重み付け数値の差の絶対値は「２」に限定されるものではなく、適宜増減できる。
【００５３】
また、図３に示す各区域Ａ１〜Ａ１５の分割の仕方は一例であり、他の分割の仕方及び分割数を増減することも可能である。分割数を増加した場合はグラデーション的に輝度ムラを抑制でき、分割数を減少した場合は輝度調整に係る処理負担を低減できる。さらに、分割の仕方としては、図８に示すように格子状に各区域Ａ１〜Ａｎへと分割してもよい。このように格子状に分割する場合は、スクリーンＳの各角点Ｓ１〜Ｓ４への離隔度合が最短から最長までの４つの順位に分かれるとき等に好適であり、一段と詳細に輝度ムラを抑制できる。
【００５４】
上述した重み付け数値の割当、及び各区域Ａ１〜Ａ１５等の区分けの仕方に対しては、メニュー等によりユーザが選択又は設定できるようにしてもよく、さらには、いくつかのパターンを予めプロジェクタ１が記憶しておき、その中からプロジェクタ１が自動で又はユーザにより選択できるようにしてもよい。
【００５５】
また、スクリーンＳの離隔度合を算出する対象はスクリーンＳの各角点Ｓ１〜Ｓ４に限定されるものではなく、スクリーンＳ中の所要の箇所を算出対象にしてもよい。例えば、プロジェクタ１がスクリーンＳの中央下、及び中央上等に設置された場合は、スクリーンＳの投射面上のプロジェクタ１の光軸に係る点を算出対象に加えてもよい。この場合は、光軸に係る点の離隔度合が最短の箇所になり、光軸に係る点に対応する部分の輝度を下げるように調整することが好適である。なお、上述した処理は、被投射体としてスクリーンＳに基づき説明しているが、スクリーンＳ以外のホワイトボード等の被投射体に対しても本発明は同様に適用でき、四隅の角点が明確でない白壁のような被投射体に対しても離隔度合を算出する対象箇所をマーキング又はカメラ座標系で指定することにより同様に適用可能である。
【図面の簡単な説明】
【００５６】
【図１】本発明の実施形態に係るプロジェクタの内部構成を示すブロック図である。
【図２】プロジェクタの設置状況を示し、（ａ）は鳥瞰方向からの概略図、（ｂ）は側方からの概略図である。
【図３】ＣＣＤ及び撮像されたスクリーン形状を示す概略図である。
【図４】液晶パネル及び表示した画像を示す概略図である。
【図５】テストパターン画像の一例を示す概略図である。
【図６】プロジェクタの輝度調整、オート調整、及び画像表示に係る処理の流れを示すフローチャートである。
【図７】（ａ）はズーム調整及び台形補正前の表示状態を示す概略図であり、（ｂ）は調整及び補正後の表示状態を示す概略図である。
【図８】スクリーンに対する区分けの変形例を示す概略図である。
【符号の説明】
【００５７】
１  プロジェクタ
２  投射レンズ
３  カメラ部
３ａ  ＣＣＤ
８  投射デバイス部
８ａ  液晶パネル
１０  システムコントロール部
１１  検出部
１２  操作部
２０  リモコン
３０  テストパターン画像
Ｋ  光軸
Ａ１〜Ａ１５  第１区域〜第１５区域
Ｓ  スクリーン
Ｓ１〜Ｓ４  第１角点〜第４角点
【図１】
2006087037.tif 000003
【図２】
2006087037.tif 000004
【図３】
2006087037.tif 000005
【図４】
2006087037.tif 000006
【図５】
2006087037.tif 000007
【図６】
2006087037.tif 000008
【図７】
2006087037.tif 000009
【図８】
2006087037.tif 000010